(57)【要約】【課題】基板特性差の経時変化に伴うフリッカーを抑える。【解決手段】液晶表示装置１０は、第１基板１００ａに設けられた画素電極１１８と第２基板１００ｂに設けられたコモン電極１０８とにより液晶層５０を挟持するとともに、正極性電圧と負極性電圧とがフレーム毎に交互に書き込まれる液晶素子を複数有する液晶表示パネル１００と、電源オンが指示されると、液晶表示パネル１００を加熱するヒーター４０とを有する。【選択図】図１
2010197807.tif 000002
【特許請求の範囲】
【請求項１】
第１基板に設けられた画素電極と第２基板に設けられたコモン電極とにより液晶層が挟持されるとともに、予め定められた基準電圧に対して高位側の正極性電圧と前記基準電圧に対して低位側の負極性電圧とが所定の周期毎に交互に書き込まれる液晶素子を複数有する液晶表示パネルと、
前記液晶素子の表示動作を開始するために電源オンが指示されたときの初期値から時間経過につれて増加するフリッカーを、飽和する方向に促進させる促進手段と、
を具備することを特徴とする液晶表示装置。
【請求項２】
前記促進手段は、前記液晶表示パネルを加熱するヒーターである
ことを特徴とする請求項１に記載の液晶表示装置。
【請求項３】
前記電源オンが指示されたときの前記初期値が、前記液晶素子に前記正極性電圧を書き込んだ場合と、前記負極性電圧を書き込んだ場合とにおいて最小になる第１電圧を、前記電源オンが指示されてから所定時間経過するまでの間、前記コモン電極に印加し、
前記電源オンが指示されてから所定時間経過後におけるフリッカーが、前記液晶素子に前記正極性電圧を書き込んだ場合と、前記負極性電圧を書き込んだ場合とにおいて最小になる第２電圧を、前記所定時間経過後に前記コモン電極に印加するコモン電極駆動回路を
有することを特徴とする請求項１または２に記載の液晶表示装置。
【請求項４】
第１基板に設けられた画素電極と第２基板に設けられたコモン電極とにより液晶層が挟持されるとともに、予め定められた基準電圧に対して高位側の正極性電圧と前記基準電圧に対して低位側の負極性電圧とが所定の周期毎に交互に書き込まれる液晶素子を複数有する液晶表示装置の制御方法であって、
前記液晶素子の表示動作を開始するために電源オンが指示されたときの初期値から時間経過につれて増加するフリッカーを、飽和する方向に促進させる
ことを特徴とする液晶表示装置の制御方法。
【請求項５】
請求項１または２に記載の液晶表示装置を有することを特徴とする電子機器。
【発明の詳細な説明】
【技術分野】
【０００１】
本発明は、いわゆる液晶表示装置の焼き付き等を防止する技術に関する。
【背景技術】
【０００２】
液晶表示装置に用いられる液晶素子は、画素電極およびコモン電極で液晶層が挟持された構成である。液晶層に直流成分が印加されると劣化するので、これを防止するため、画素電極に印加する電圧は、コモン電極に対して高位側の正極性電圧と低位側の負極性電圧とで交互に切り替えられる（交流駆動）。ただし、交流駆動の際に、正極性電圧の実効値と負極性電圧の実効値とがなんらかの理由で異なってしまうと、結果的に液晶層に直流成分が印加されて、過去に表示した画像が残像となって現れる。液晶層への直流成分の印加による残像現象は、ＣＲＴにおいて同一画像を長期間にわたり表示することによって蛍光面が焼き付いたときの現象と似ていることから、同様に焼き付きと呼ばれることが多い。
【０００３】
ところで、画素電極が画素電極基板に設けられ、コモン電極が対向基板に設けられるとともに、両基板により液晶層が挟持される構成では、両基板における特性差の影響を受ける。このため、特性差等に応じた補正電圧を予め印加することによって、焼き付き等を抑える技術が提案されている（特許文献１）。
【先行技術文献】
【特許文献】
【０００４】
【特許文献１】特開２００２−１８９４６０号公報（図６、図７参照）
【発明の概要】
【発明が解決しようとする課題】
【０００５】
しかしながら、該特性差は、電源のオンオフに伴って時間的に変化（経時変化）する傾向がある。
本発明は、上述した事情に鑑みてなされたもので、その目的の１つは、該特性差の経時変化による影響を小さくする技術を提供することにある。
【課題を解決するための手段】
【０００６】
上記課題を解決するために本発明に係る液晶表示装置は、第１基板に設けられた画素電極と第２基板に設けられたコモン電極とにより液晶層が挟持されるとともに、予め定められた基準電圧に対して高位側の正極性電圧と前記基準電圧に対して低位側の負極性電圧とが所定の周期毎に交互に書き込まれる液晶素子を複数有する液晶表示パネルと、前記液晶素子の表示動作を開始するために電源オンが指示されたときの初期値から時間経過につれて増加するフリッカーを、飽和する方向に促進させる促進手段と、を具備することを特徴とする。本発明によれば、前記液晶素子の表示動作を開始するために電源オンが指示されると、促進しない場合と比較して、フリッカーが短時間のうち飽和する。
本発明において、前記促進手段は、前記液晶表示パネルを加熱するヒーターであることが好ましい。液晶表示パネルに対する加熱によって、フリッカーが飽和する方向に促進されるためである。
さらに、本発明において、前記電源オンが指示されたときの前記初期値が、前記液晶素子に前記正極性電圧を書き込んだ場合と、前記負極性電圧を書き込んだ場合とにおいて最小になる第１電圧を、前記電源オンが指示されてから所定時間経過するまでの間、前記コモン電極に印加し、前記電源オンが指示されてから所定時間経過後におけるフリッカーが、前記液晶素子に前記正極性電圧を書き込んだ場合と、前記負極性電圧を書き込んだ場合とにおいて最小になる第２電圧を、前記所定時間経過後に前記コモン電極に印加するコモン電極駆動回路を有する構成が好ましい。このように電源オンの指示から所定時間経過後すると、特性差の経時変化が小さくなるので、この時点で、コモン電極の電圧を切り替えると、フリッカーの発生を抑えて、焼き付き等を防止することが可能となる。
なお、本発明は、液晶表示装置のほか、該液晶表示装置の制御方法や、該液晶表示装置を有する電子機器としても概念することが可能である。
【図面の簡単な説明】
【０００７】
【図１】実施形態に係る液晶表示装置を適用したプロジェクターを示す図である。
【図２】同液晶表示装置の構成を示すブロック図である。
【図３】同液晶表示装置における画素の等価回路を示す図である。
【図４】同液晶表示装置における表示動作を示す図である。
【図５】同液晶表示装置におけるヒーターの制御動作を示す図である。
【発明を実施するための形態】
【０００８】
以下、本発明を実施するための形態について説明する。図１は、実施形態に係る液晶表示装置を適用したプロジェクターの構成を示す図である。
この図に示されるように、プロジェクター２１００の内部には、ハロゲンランプ等の白色光源からなるランプユニット２１０２が設けられている。このランプユニット２１０２から射出された光は、内部に配置された３枚のミラー２１０６および２枚のダイクロイックミラー２１０８によってＲ（赤）、Ｇ（緑）、Ｂ（青）の３原色に分離されるとともに、各原色に対応する液晶表示パネル１００Ｒ、１００Ｇおよび１００Ｂにそれぞれ導かれる。この液晶表示パネル１００Ｒ、１００Ｇ、１００Ｂは、アクティブ・マトリクス型の透過型である。
なお、Ｂ色の光は、Ｒ色やＧ色と比較すると、光路が長いので、その損失を防ぐために、入射レンズ２１２２、リレーレンズ２１２３および出射レンズ２１２４からなるリレーレンズ系２１２１を介して導かれる。
【０００９】
液晶表示パネル１００Ｒ、１００Ｇおよび１００Ｂによってそれぞれ変調された光（透過像）は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、投射レンズ２１１４によってカラー画像がスクリーン２１２０に投射されることとなる。
【００１０】
また、液晶表示パネル１００Ｒ、１００Ｇおよび１００Ｂの近傍には、これらのパネルを加熱するヒーター４０が設けられる。
なお、液晶表示パネル１００Ｒ、１００Ｇおよび１００Ｂには、ダイクロイックミラー２１０８によって、Ｒ、Ｇ、Ｂの各原色に対応する光が入射するので、カラーフィルタを設ける必要はない。液晶表示パネル１００Ｒ、１００Ｂの透過像は、ダイクロイックプリズム２１１２により反射した後に投射されるのに対し、液晶表示パネル１００Ｇの透過像はそのまま投射されるので、液晶表示パネル１００Ｒ、１００Ｂによる水平走査方向は、液晶表示パネル１００Ｇによる水平走査方向と逆向きにして、その透過像を左右反転とする。
【００１１】
液晶表示パネル１００Ｒ、１００Ｇおよび１００Ｂについては、構成的には同一であるので、色を特定しないで代表的な構成について説明することにする。図２は、色を特定しない液晶表示パネル１００を含む液晶表示装置の全体構成を示すブロック図である。
この図に示されるように、液晶表示装置１０は、上述したヒーター４０および液晶表示パネル１００のほか、表示制御回路２０、ヒーター制御回路３０、コモン電極駆動回路５０、Ｙドライバー１３０およびＸドライバー１４０を含む。
【００１２】
説明の便宜上、液晶表示パネル１００の構成について説明する。液晶表示パネル１００は、第１基板１００ａと第２基板１００ｂとが一定の間隙を保って貼り合わせられるとともに、この間隙に液晶層１０５が挟持された構成となっている。
第１基板１００ａのうち、第２基板１００ｂとの対向面には、例えば４８０行の走査線１１２が図において横方向に延在し、また、例えば６４０列のデータ線１１４が図において縦方向に延在し、かつ、各走査線１１２と互いに電気的に絶縁を保つように設けられている。なお、走査線１１２を区別するために、図において上から順に１、２、３、…、４８０行目という呼び方をする場合がある。同様に、データ線１１４を区別するために、図において左から順に１、２、３、…、６４０列目という呼び方をする場合がある。
【００１３】
第１基板１００ａでは、さらに、走査線１１２とデータ線１１４との交差のそれぞれに対応して、ｎチャネル型のＴＦＴ１１６と矩形形状で透明性を有する画素電極１１８との組が設けられている。ＴＦＴ１１６のゲート電極は走査線１１２に接続され、ソース電極がデータ線１１４に接続され、ドレイン電極が画素電極１１８に接続されている。
一方、第２基板１００ｂのうち、第１基板１００ａとの対向面には、透明性を有するコモン電極１０８が全面にわたって設けられている。
【００１４】
したがって、液晶表示パネル１００における等価回路は、図３に示される通りとなり、走査線１１２とデータ線１１４との交差に対応して、画素電極１１８とコモン電極１０８とで液晶層１０５を挟持した液晶素子１２０が設けられることになる。
コモン電極１０８には、コモン電極駆動回路５０によって信号Ｖcomの電圧が印加される。なお、この信号Ｖcomは、後述するように、前記液晶素子の表示動作を開始するために電源オンを指示した直後における電圧Ｖ1から、期間ｔq経過後に電圧Ｖ2に切り替えられる。
また、液晶素子１２０では、画素電極１１８およびコモン電極１０８の電位差に相当する電圧が保持されるとともに、両電極間で生じる電界に応じて液晶の分子の配向状態が変化する。このため、液晶表示パネル１００では、液晶素子１２０毎に、保持した電圧の実効値に応じた透過率となる。
【００１５】
液晶層１０５に直流成分が印加されるのを防止するため、データ信号の電圧は、ビデオ振幅中心電圧（基準電圧）Ｖcに対して高位側の正極性電圧と低位側の負極性電圧とに一定周期毎に、例えばフレーム毎に交互に切り替えられる。
ここで、フレームとは、液晶表示パネル１００を駆動することによって、画像の１コマ分を表示させるのに要する時間をいい、垂直走査周波数が６０Ｈｚであれば、その逆数である１６．７ミリ秒である。また、電圧については、液晶素子１２０の保持電圧を除き、特に説明のない限り、図示省略した電源の接地電位を電圧ゼロの基準としている。
なお、１フレームにおいて画素の書込極性を空間的にどのような配列させるかについては、走査線毎に反転させる行反転方式、データ線毎に反転させる列反転方式、走査線およびデータ線方向に対して隣り合う画素毎に反転させる画素反転方式などがあり、いずれも適用可能であるが、本実施形態では、説明を簡略化するため、すべて同一極性とする面反転方式とする。
【００１６】
表示制御回路２０は、タイミング制御回路２２とデータ信号変換回路２４とに分けられる。このうち、タイミング制御回路２２は、図示省略した上位装置から供給される垂直同期信号Ｖsync、水平同期信号Ｈsyncおよびドットクロック信号Ｄckに基づいて各部を制御する。詳細には、タイミング制御回路２２は、Ｙドライバー１３０に対し、垂直同期信号Ｖsyncによって規定される垂直走査期間（フレーム）の開始タイミングにスタートパルスＤyを出力するとともに、水平同期信号Ｈsyncの供給周期で規定される水平走査期間の２倍の周期を有するクロック信号Ｃlyを出力する一方、Ｘドライバー１４０に対し、水平走査期間の開始タイミングにスタートパルスＤxを出力するとともに、ドットクロック信号Ｄckの供給周期に応じた周期のクロック信号Ｃlxを出力する。
また、タイミング制御回路２２は、データ信号変換回路２４に対し信号Ｆrpによって書込極性を指定する。上述したように本実施形態では、面反転方式としているので、信号Ｆrpの論理レベルは、図４に示されるようにフレーム毎に反転する。なお、信号Ｆrpは、Ｈレベルであるときに正極性書込を指定し、Ｌレベルであるときに負極性書込を指定するものとする。
【００１７】
データ信号変換回路２４は、上記上位装置から供給されるデジタルの映像信号Ｖidを、信号Ｆrpにより指定される極性のアナログのデータ信号ｄsに変換して出力するものである。ここで、映像信号Ｖidは、液晶表示パネル１００の各画素の明るさ（階調）のうち、対応する色成分をそれぞれ指定するデジタルデータである。例えば、液晶表示パネル１００が、Ｒ色に対応する液晶表示パネル１００Ｒであれば、供給される映像信号Ｖidは、表示すべき画像のカラー成分のうち、Ｒ成分を指定するデータである。
【００１８】
Ｙドライバー１３０は、１行目の画素に対応する映像信号Ｖidが供給される水平走査期間において走査信号Ｇ1をＨレベルとし、同様に２、３、４、…、４８０行目の画素に対応する映像信号Ｖidが供給される水平走査期間において走査信号Ｇ2、Ｇ3、Ｇ4、…、Ｇ480を順次Ｈレベルとする走査線駆動回路である。
詳細には、Ｙドライバー１３０は、図４に示されるように、スタートパルスＤyをクロック信号Ｃlyにしたがって順次シフトさせるとともに、パルス幅をクロック信号Ｃlyの半周期に狭めた走査信号Ｇ1、Ｇ2、Ｇ3、Ｇ4、…、Ｇ480を、１、２、３、４、…、４８０行目の走査線１１２に供給する構成となっている。
なお、フレームのうち、走査信号Ｇ1〜Ｇ480がＨレベルとなる期間が垂直有効走査期間Ｆaであり、残りの期間が垂直帰線期間Ｆbである。また、走査信号のＨレベルは、ＴＦＴ１１６をオン（導通）状態とさせる選択電圧ＶHであり、走査信号のＬレベルは、ＴＦＴ１１６をオフ（非導通）状態とさせる非選択電圧ＶLである。
【００１９】
Ｘドライバー１４０は、走査信号がＨレベルとなっている行であって１〜６４０列目の画素に対応して供給されたデータ信号ｄsを、それぞれ１〜６４０列目のデータ線１１４にサンプリングするデータ線駆動回路である。Ｘドライバー１４０の詳細については省略するが、スタートパルスＤxをクロック信号Ｃlxにしたがって順次シフトするとともに、パルス幅をクロック信号Ｃlxの半周期に狭めたサンプリング信号を、１、２、３、…、６４０列目に対応して生成する一方で、データ信号変換回路２４によって変換されたデータ信号ｄsを、生成したサンプリング信号にしたがってそれぞれデータ線１１４にサンプリングする構成となっている。
なお、１、２、３、…、６４０列目のデータ線１１４にサンプリングされるデータ信号を、図１において、それぞれｄ1、ｄ2、ｄ3、…、ｄ640と表記している。
【００２０】
次に、実施形態に係る液晶表示装置１０の表示動作について説明する。上位装置からは、映像信号Ｖidが、１行１列〜１行６４０列、２行１列〜２行６４０列、３行１列〜３行６４０列、…、４８０行１列〜４８０行６４０列の画素の順番でフレームにわたって供給される。
ここで、正極性書込が指定される奇数ｎフレームにおいて、１行１列〜１行６４０列の映像信号Ｖidが供給される水平走査期間では、当該映像信号Ｖidがデータ信号変換回路２４によって正極性のデータ信号ｄsに変換されるとともに、当該データ信号ｄsがＸドライバー１４０によって１、２、３、…、６４０列目のデータ線１１４にデータ信号ｄ1、ｄ2、ｄ3、…、ｄ640としてサンプリングされる。一方、Ｙドライバー１３０によって走査信号Ｇ1だけがＨレベルとなるので、１行目のＴＦＴ１１６がオン状態となる。これにより、データ線１１４にサンプリングされたデータ信号は、オン状態にあるＴＦＴ１１６を介して画素電極１１８に印加されるので、１行１列〜１行６４０列の液晶素子には、それぞれ階調に応じた正極性電圧が書き込まれる。
続いて、２行１列〜２行６４０列の映像信号Ｖidが供給される水平走査期間では、同様にして、当該映像信号Ｖidが正極性のデータ信号ｄsに変換されるとともに、当該データ信号ｄsがデータ線１１４にサンプリングされる。一方、走査信号Ｇ2だけがＨレベルとなるので、２行目のＴＦＴ１１６がオン状態となる。これにより、データ線１１４にサンプリングされたデータ信号が、画素電極１１８に印加されるので、２行１列〜２行６４０列の液晶素子には、それぞれ階調に応じた正極性電圧が書き込まれる。なお、１行目では、ＴＦＴ１１６がオフ状態になるが、該ＴＦＴ１１６がオン状態のときに液晶素子１２０に書き込まれた電圧は、その容量性によりに保持される。
以下同様な書込動作が３、４、…、４８０行目に対して実行され、これにより、各液晶素子に、階調に応じた正極性電圧が印加・保持されて、奇数ｎフレームに応じた透過像が作成されることなる。
【００２１】
次の偶数（ｎ＋１）フレームにおいては、信号Ｆrpの反転により、映像信号Ｖidが負極性のデータ信号ｄsに変換される以外、同様な書込動作が実行される。これにより、各液晶素子には、それぞれ階調に応じた負極性電圧が印加・保持されて、偶数（ｎ＋１）フレームに応じた透過像が作成されることなる。
【００２２】
ところで、ＴＦＴ１１６では、オンからオフした瞬間にドレイン電極、すなわち画素電極１１８の電圧を変動させるフィールドスルー（プッシュダウン、突き抜け）が発生する。ここで、コモン電極１０８に印加する信号Ｖcomの電圧を、正負振幅の基準電圧Ｖcに一致させると、液晶素子に印加される電圧の実効値は、フィールドスルーのために、負極性の方が正極性よりも大きくなってしまう（ＴＦＴ１１６がｎチャネル型の場合）。
このため、前記液晶素子の表示動作を開始するために電源オンを指示した直後において、コモン電極駆動回路５０は、コモン電極１０８に印加する信号Ｖcomについて、図４に示されるように、基準電圧Ｖcよりも若干低位側にオフセットした電圧Ｖ1にセットする。詳細には、この電圧Ｖ1は、フリッカーが最小となるように、すなわち、同じ階調に相当するデータ信号を正極性と負極性とで供給したときに正極性電圧の実効値と不極性電圧の実効値との差が最も小さくなるように（図においてハッチングで示される領域の面積がほぼ同じとなるように）予め求められた電圧である。
【００２３】
なお、図４は、走査信号Ｇ1〜Ｇ480のほか、ｊ列目（ｊは１≦ｊ≦６４０を満たす整数）のデータ線に供給されるデータ信号ｄj、および、１行ｊ列の液晶素子１２０に保持される電圧の実効値等についても示している。
本実施形態において液晶素子１２０をノーマリーホワイトモードとしたとき、データ信号ｄjは、正極性であれば、白表示させるときの低位電圧Ｖw(+)から黒表示させるときの高位電圧Ｖb(+)までの範囲をとり、負極性であれば、正極性の電圧範囲を、基準電圧Ｖcを中心にして対称とした範囲、すなわち高位電圧Ｖw(-)から低位電圧Ｖb(-)までの範囲をとる。このとき、垂直帰線期間Ｆbでは、タイミングズレ等によって書き込まれたとしても表示に寄与させない等の理由により、黒表示とさせる電圧Ｖb(+)、Ｖb(-)となっている。
また、１行ｊ列の画素を中間階調とする場合、１行ｊ列の液晶素子１２０における画素電極１１８の電圧Ｐx(1,j)は、走査信号Ｇ1がＨレベルとなったときに、データ信号ｄjの電圧Ｖg(+)、Ｖg(-)、すなわち中間階調に相当する電圧となり、走査信号Ｇ1がＬレベルに変化したときにフィールドスルーによって電圧ΔＶだけ低下して、再び走査信号Ｇ1がＨレベルとなるまで、保持される様子が示されている。
【００２４】
ところで、第１基板１００ａと第２基板１００ｂとでは、電極材料や配向膜の厚さなどの相違に基づく特性差が存在する。この特性差も、液晶に直流成分が印加される原因の一つである。
ここで、フィールドスルーよりも特性差の影響が大きければ、前記液晶素子の表示動作を開始するために時刻ｔ1において液晶表示パネル１００に電源オンが指示されたとき、該特性差が時間経過とともに変化するので、フリッカーは、図５の（ａ）の破線で示されるように、信号Ｖcomが電圧Ｖ1のときに最小となる初期値ｂ1から、液晶表示パネル固有の時定数で増加する。
【００２５】
ここで、本件発明者は、電源オンが指示されたときに、液晶表示パネル１００を加熱すると、より小さな時定数でフリッカーが増加する現象を確認した。
そこで、本実施形態では、液晶表示パネル１００の近傍にヒーター４０を設けるとともに、図５の（ｂ）に示されるように、電源オンが指示されたときから、ヒーター制御回路３０が該ヒーター４０を一定時間ｔqだけオンする構成とした。このように、ヒーター４０がオンすると、図５の（ａ）において実線で示されるように、フリッカーが時刻ｔ2で、値ｂ2にてほぼ飽和する。これは、特性差の経時変化が加熱により早期に飽和するためと考えられる。
なお、時間ｔqは、フリッカーが初期値ｂ1から値ｂ2まで飽和するのに十分な時間とするのが好ましい。
【００２６】
時刻ｔ2において、値ｂ2のフリッカーが発生している原因は、電源オン後に特性差が経時変化したために、液晶素子１２０において正極性電圧を保持しているときの実効値と負極性電圧を保持しているときの実効値とが一致しておらず、どちらか一方が他方よりも大きくなっているためである。
これを解消するため、コモン電極駆動回路５０は、時刻ｔ2において信号Ｖcomを、図５の（ｃ）に示されるように、電圧Ｖ1から、フリッカーを再び最小とさせる電圧Ｖ2に切り替える。これにより、フリッカーの値をｂ１とすることが可能である。
該特性の経時変化は、時刻ｔ2において既に飽和しているので、以後変化は小さい。このため、電圧Ｖ2に切り替えられた後において、フリッカーの値が最小値ｂ１に抑えられた状態が継続するので、焼き付き等が抑えられることになる。
【００２７】
なお、図５の（ｃ）において、電圧Ｖ2は、電圧Ｖ1よりも高くしているが、これは、該特性差によって、液晶素子１２０において正極性電圧を保持しているときの実効値が負極性電圧を保持しているときの実効値より大きくなった状況を想定したためである。液晶表示パネル１００には、特性差の経時変化によって、正極性電圧を保持しているときの実効値が負極性電圧を保持しているときの実効値より小さくなる場合もあり、この場合には、電圧Ｖ2は、電圧Ｖ1よりも低くすれば良い。
いずれにしても電圧Ｖ2については、飽和したフリッカーが最小とするように、電圧Ｖ1と同様にして予め求めておけば良い。
【００２８】
また、ヒーター４０については、液晶表示パネル１００の近傍ではなく、パネルに直接貼り付けた構成としても良い。
液晶表示パネル１００の加熱については、ヒーター４０のほかに、ランプユニット２１０２や図示省略した主電源などの熱源で発生した熱を、ファンなどの熱転送手段によって液晶表示パネル１００に供給する構成としても良い。この構成において、熱源および熱転送手段が促進手段に相当することになる。このように構成すると、エネルギーの効率的な使用が可能となる。
このファンとは別に、プロジェクター２１００には、通常、内部冷却のための排気（または吸気）ファンが設けられるので、この排気（または吸気）ファンを停止することによっても、液晶表示パネル１００を加熱することが可能である。ただし、このような排気（または吸気）ファンを停止させると、液晶表示パネル１００以外の部材の温度を上昇させて、該部材の短寿命化を招く可能性があるので、上述したように促進手段としてはヒーター４０や、熱源およびその転送手段などから構成するのが望ましい。
【００２９】
また、フリッカーの増加を早期に飽和させるためには、液晶表示パネル１００への加熱のほかに、液晶素子の駆動電圧を変更させることによっても可能である。
詳細には、データ信号の電圧、または、信号Ｖcomの電圧（もしくは双方の電圧）を変更することによって、電源オンの指示後におけるフリッカーの増加を早期に飽和させる構成としても良い。この構成において、Ｘドライバー１４０、または、コモン電極駆動回路５０（もしくは双方）が促進手段に相当することになる。このように構成すると、ヒーター４０などの別途に追加する構成が不要となり、構成の簡易化を図ることが可能となる。
【００３０】
なお、本実施形態では、液晶表示装置１０を適用した電子機器としてプロジェクター２１００を例に挙げて説明したが、このほかにも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。そして、これらの各種の電子機器に対して、本発明に係る液晶表示装置が適用可能なのは言うまでもない。
【符号の説明】
【００３１】
１０…液晶表示装置、２０…表示制御回路、３０…ヒーター制御回路、４０…ヒーター、５０…コモン電極駆動回路、１００…液晶表示パネル、１０８…コモン電極、１１６…ＴＦＴ、１１８…画素電極、１２０…液晶素子、２１００…プロジェクター
【図１】
2010197807.tif 000003
【図２】
2010197807.tif 000004
【図３】
2010197807.tif 000005
【図４】
2010197807.tif 000006
【図５】
2010197807.tif 000007